(57)【要約】【課題】携帯端末装置を用いて歩行ナビゲーションを行う際に、観光地等でのユーザの利便性を向上させること。【解決手段】第１記憶部１０４はスケジュール種別に従って第１の平均歩行速度を算出し、第２記憶部１０６は第１の平均歩行速度よりも遅い第２の平均歩行速度を算出し、第１通知時刻算出部１０５は第１の平均歩行速度を用いて第１のアラーム通知時刻を算出し、第２通知時刻算出部１０７は第２の平均歩行速度を用いて第１のアラーム通知時刻よりも早い第２のアラーム通知時刻を算出し、アラーム通知部１１０は第１のアラーム通知時刻および第２のアラーム通知時刻に従って２段階のアラーム通知を行う。【選択図】図１
2011232042.tif 000002
【特許請求の範囲】
【請求項１】
ナビゲーション機能を有する携帯端末装置であって、
スケジュール種別に従って、第１の平均歩行速度と、前記第１の平均歩行速度よりも遅い第２の平均歩行速度を算出する歩行速度算出手段と、
前記第１の平均歩行速度を用いて第１のアラーム通知時刻を算出するとともに、前記第２の平均歩行速度を用いて前記第１のアラーム通知時刻よりも早い第２のアラーム通知時刻を算出する通知時刻算出手段と、
前記第１のアラーム通知時刻および前記第２のアラーム通知時刻に従って、２段階のアラーム通知を行う通知手段と、
を具備する携帯端末装置。
【請求項２】
ナビゲーション機能を有する携帯端末装置におけるアラーム通知方法であって、
スケジュール種別に従って、第１の平均歩行速度と、前記第１の平均歩行速度よりも遅い第２の平均歩行速度を算出するステップと、
前記第１の平均歩行速度を用いて第１のアラーム通知時刻を算出するとともに、前記第２の平均歩行速度を用いて前記第１のアラーム通知時刻よりも早い第２のアラーム通知時刻を算出するステップと、
前記第１のアラーム通知時刻および前記第２のアラーム通知時刻に従って、２段階のアラーム通知を行うステップと、
を具備するアラーム通知方法。
【発明の詳細な説明】
【技術分野】
【０００１】
本発明は、携帯端末装置に関する。
【背景技術】
【０００２】
従来、歩行時に携帯端末装置を用いて目的地までの経路を検索する歩行ナビゲーション技術として、過去に測定したユーザの歩行速度の履歴からユーザの標準的な歩行速度を求め、求めた歩行速度に基づいて目的地までの所要時間を予測するものがある（特許文献１参照）。
【先行技術文献】
【特許文献】
【０００３】
【特許文献１】特開２００８−１１６３２０号公報
【発明の概要】
【発明が解決しようとする課題】
【０００４】
ここで、観光地において携帯端末装置を用いて歩行ナビゲーションを行う場合を想定すると、観光地では見物のための時間を要するため、通常の場合の歩行速度よりも歩行速度が遅くなってしまう。このため、上記の従来技術のようにしてユーザの標準的な歩行速度から所要時間を求めると、観光地では実際よりも短い所要時間が算出されることになってしまう。このため、例えば、バスツアー等により集合場所に戻る時刻が決められていて所要時間を考慮してユーザにアラーム通知をする場合を想定すると、実際よりも短い所要時間に基づいてアラーム通知がなされるため、ユーザが集合時刻に遅れてしまう事態が発生する可能性がある。
【０００５】
一方で、集合場所から遠い地点での観光に使う時間を極力長くすることを希望し、その地点から集合場所へは早足で戻ってもよいという意図を持ったユーザにとっては、観光地用の歩行速度から求めた所要時間に基づいてアラーム通知がなされると、ユーザは集合時刻よりも大幅に早い時刻に集合場所に戻らされてしまう事態が発生する可能性がある。
【０００６】
本発明は、かかる点に鑑みてなされたものであり、歩行ナビゲーションを行う際に、観光地等でのユーザの利便性を向上させることができる携帯端末装置を提供することを目的とする。
【課題を解決するための手段】
【０００７】
本発明の携帯端末装置は、ナビゲーション機能を有する携帯端末装置であって、スケジュール種別に従って、第１の平均歩行速度と、前記第１の平均歩行速度よりも遅い第２の平均歩行速度を算出する歩行速度算出手段と、前記第１の平均歩行速度を用いて第１のアラーム通知時刻を算出するとともに、前記第２の平均歩行速度を用いて前記第１のアラーム通知時刻よりも早い第２のアラーム通知時刻を算出する通知時刻算出手段と、前記第１のアラーム通知時刻および前記第２のアラーム通知時刻に従って、２段階のアラーム通知を行う通知手段と、を具備する。
【発明の効果】
【０００８】
本発明によれば、歩行ナビゲーションを行う際に、観光地等でのユーザの利便性を向上させることができる。
【図面の簡単な説明】
【０００９】
【図１】本発明の実施の形態に係る携帯端末装置の構成を示す機能ブロック図
【図２】本発明の実施の形態に係る携帯端末装置の動作の具体例を示す図
【発明を実施するための形態】
【００１０】
以下、本発明の実施の形態に係る携帯端末装置について、図面を用いて説明する。
【００１１】
図１は、本発明の実施の形態に係る携帯端末装置１００の構成を示す機能ブロック図である。
【００１２】
携帯端末装置１００において、スケジュール記憶部１０１は、ユーザのスケジュールを記憶する。スケジュール記憶部１０１に記憶されたスケジュールは、複数のスケジュール種別に分類される。以下の説明では、スケジュール記憶部１０１には、ユーザのバスツアー中のスケジュールが記憶され、そのバスツアー中のスケジュールは、「歩行移動中」または「観光中」の２つのスケジュール種別に分類されて記憶されているものとする。
【００１３】
歩行速度測定部１０２は、ユーザの歩行速度を一定時間毎に測定し、測定結果をスケジュール判断部１０３に出力する。
【００１４】
スケジュール判断部１０３は、歩行速度測定部１０２から測定結果が出力された時、その出力時刻に該当するスケジュールのスケジュール種別をスケジュール記憶部１０１から取得する。そして、スケジュール判断部１０３は、スケジュール種別に応じて、歩行速度の測定結果を第１記憶部１０４または第２記憶部１０６に出力する。すなわち、スケジュール判断部１０３は、スケジュール種別が「歩行移動中」である場合は測定結果を第１記憶部１０４に出力し、スケジュール種別が「観光中」である場合は測定結果を第２記憶部１０６に出力する。これにより、第１記憶部１０４にはスケジュール種別が「歩行移動中」の場合の歩行速度の測定履歴が記憶され、第２記憶部１０６にはスケジュール種別が「観光中」の場合の歩行速度の測定履歴が記憶されることとなる。
【００１５】
第１記憶部１０４は、記憶された測定履歴から、スケジュール種別が「歩行移動中」の場合の歩行速度の平均値（移動中平均値）ｖ１を算出し、算出結果を第１通知時刻算出部１０５および経路探索部１０９に出力する。
【００１６】
第２記憶部１０６は、記憶された測定履歴から、スケジュール種別が「観光中」の場合の歩行速度の平均値（観光中平均値）ｖ２を算出し、算出結果を第２通知時刻算出部１０７に出力する。
【００１７】
ここで、上記のように、観光地では見物のための時間を要するため、通常の場合の歩行速度よりも歩行速度が遅くなってしまう。よって、通常、観光中平均値は移動中平均値よりも遅い速度となる。例えば、観光中平均値は時速１ｋｍとなるのに対し、移動中平均値は時速４ｋｍとなる。
【００１８】
現在位置検出部１０８は、ＧＰＳ等を用いて携帯端末装置１００の現在位置を検出し、検出結果を経路探索部１０９に出力する。
【００１９】
経路探索部１０９は、経路探索開始時には、（１）携帯端末装置１００の現在位置またはユーザが設定した出発位置、（２）ユーザが設定した観光位置、および、（３）ユーザが設定した帰着位置（例えば集合場所の位置）から、歩行ナビゲーションの経路を探索し、探索結果の距離および移動中平均値に基づいて所要時間を算出する。そして、経路探索部１０９は、経路探索開始時刻と所要時間とから帰着位置への到着予定時刻ｔｓを算出し、算出結果を第１通知時刻算出部１０５および第２通知時刻算出部１０７に出力する。
【００２０】
また、経路探索部１０９は、歩行ナビゲーション中には、現在位置から帰着位置までの距離ｄを随時算出し、算出結果を第１通知時刻算出部１０５および第２通知時刻算出部１０７に出力する。
【００２１】
第１通知時刻算出部１０５は、ｄ／ｖ１の計算により第１通知時刻を算出する。そして、第１通知時刻算出部１０５は、ｄ／ｖ１＞（ｔｓ−ｔｎ）となった時点でアラーム通知部１１０に対し、ユーザへアラーム通知（アラーム通知１）をするように指示する。なお、ｔｎは現在時刻である。
【００２２】
第２通知時刻算出部１０７は、ｄ／ｖ２の計算により第２通知時刻を算出する。そして、第２通知時刻算出部１０７は、ｄ／ｖ２＞（ｔｓ−ｔｎ）となった時点でアラーム通知部１１０に対し、ユーザへアラーム通知（アラーム通知２）をするように指示する。
【００２３】
アラーム通知部１１０は、第１通知時刻算出部１０５または第２通知時刻算出部１０７からの指示に従って、ユーザへアラーム通知を行う。
【００２４】
ここで、上記のように通常ｖ２＜ｖ１であるため、アラーム通知１はアラーム通知２よりも遅い時刻になされることになる。
【００２５】
次いで、図２を用いて、携帯端末装置１００の動作の具体例を説明する。
【００２６】
図２では、ユーザが、出発位置をＡとして、観光位置Ｂ，Ｃを経由して、出発位置Ａと同じ帰着位置Ａに戻る場合を想定する。また、上記のように観光中平均値を時速１ｋｍ、移動中平均値を時速４ｋｍとし、ユーザが出発位置Ａから２ｋｍ離れた現在位置Ｃにいる場合を想定する。
【００２７】
このような想定において、ユーザが現在位置Ｃから帰着位置Ａに戻るためには、歩行速度ｖ１の移動であれば３０分で帰着位置Ａに到着する一方で、歩行速度ｖ２の移動であれば帰着位置Ａに到着するのに２時間を要する。よって、このような想定において、アラーム通知１はｔｓ＝１７：００の３０分前である１６：３０になされる一方で、アラーム通知２はｔｓ＝１７：００の２時間前である１５：００になされることになる。
【００２８】
このように、本実施の形態によれば、通常時の歩行速度と観光中の歩行速度の双方を考慮して、２段階でのアラーム通知を行うため、携帯端末装置を用いて観光地等での歩行ナビゲーションを行う際に、各ユーザは自分の歩行速度の特性や自分の趣向に合わせて、必要なアラーム通知を選択することができるため、ユーザの利便性を向上させることができる。
【産業上の利用可能性】
【００２９】
本発明は、ナビゲーション機能を有するすべての携帯端末装置に適用することができる。
【符号の説明】
【００３０】
１００  携帯端末装置
１０１  スケジュール記憶部
１０２  歩行速度測定部
１０３  スケジュール判断部
１０４  第１記憶部
１０５  第１通知時刻算出部
１０６  第２記憶部
１０７  第２通知時刻算出部
１０８  現在位置検出部
１０９  経路探索部
１１０  アラーム通知部
【図１】
2011232042.tif 000003
【図２】
2011232042.tif 000004